(57)【要約】【課題】ユーザ等によるデータ生成作業等の作業負荷を軽減することを目的とする。【解決手段】画像形成装置に接続される情報処理装置が、第１のデータの画像形成指示を受け付け、前記画像形成装置に画像形成させない第２のデータの指定を受け付け、前記第１のデータを前記画像形成装置の色材に対応した第３のデータに変換する際に、前記第２のデータに対応するデータを前記画像形成装置が画像形成しないデータに変換することにより上記課題を解決する。【選択図】図１
2016212592.tif 000002
【特許請求の範囲】
【請求項１】
画像形成装置に接続される情報処理装置であって、
第１のデータの画像形成指示を受け付ける第１の受付部と、
前記画像形成装置に画像形成させない第２のデータの指定を受け付ける第２の受付部と、
前記第１のデータを前記画像形成装置の色材に対応した第３のデータに変換する際に、前記第２のデータに対応するデータを前記画像形成装置が画像形成しないデータに変換する変換部と、
を備える情報処理装置。
【請求項２】
請求項１に記載の情報処理装置であって、
前記変換部は、前記画像形成装置が白の色材を有する場合であって、前記第２のデータの指定を受け付けた場合、前記変換後に出力される色が前記白の色材を使用しないように前記変換を変更する情報処理装置。
【請求項３】
前記変換は、プリンタドライバに基づく処理である請求項１又は２に記載の情報処理装置。
【請求項４】
前記第２のデータは、ルビを表すデータである請求項１乃至３のいずれか一項に記載の情報処理装置。
【請求項５】
前記第１のデータはＲＧＢ値で示される色データを含むデータであり、
前記変換部は、前記ＲＧＢ値をＣＭＹＫ値にそれぞれ変換し、
前記第２のデータに対応するデータを前記ＣＭＹＫ値の各値をそれぞれ最小値に変換する請求項１乃至４のいずれか一項に記載の情報処理装置。
【請求項６】
前記第２の受付部は、色、装飾、下線、フォントの種類、又はこれらの組み合わせで、前記指定を受け付ける請求項１乃至５のいずれか一項に記載の情報処理装置。
【請求項７】
画像形成装置と、前記画像形成装置に接続される１以上の情報処理装置とを有する情報処理システムであって、
第１のデータの画像形成指示を受け付ける第１の受付部と、
前記画像形成装置に画像形成させない第２のデータの指定を受け付ける第２の受付部と、
前記第１のデータを前記画像形成装置の色材に対応した第３のデータに変換する際に、前記第２のデータに対応するデータを前記画像形成装置が画像形成しないデータに変換する変換部と、
を備える情報処理システム。
【請求項８】
画像形成装置に接続される情報処理装置が行う情報処理方法であって、
前記情報処理装置が、第１のデータの画像形成指示を受け付ける受付手順と、
前記情報処理装置が、前記画像形成装置に画像形成させない第２のデータの指定を受け付ける受付手順と、
前記情報処理装置が、前記第１のデータを前記画像形成装置の色材に対応した第３のデータに変換する際に、前記第２のデータに対応するデータを前記画像形成装置が画像形成しないデータに変換する変換手順と、を含む情報処理方法。
【請求項９】
画像形成装置に接続されるコンピュータに情報処理を実行させるためのプログラムであって、
前記コンピュータが、第１のデータの画像形成指示を受け付ける受付手順と、
前記コンピュータが、前記画像形成装置に画像形成させない第２のデータの指定を受け付ける受付手順と、
前記コンピュータが、前記第１のデータを前記画像形成装置の色材に対応した第３のデータに変換する際に、前記第２のデータに対応するデータを前記画像形成装置が画像形成しないデータに変換する変換手順と、を実行させるためのプログラム。
【発明の詳細な説明】
【技術分野】
【０００１】
本発明は、情報処理装置、情報処理システム、情報処理方法、及びプログラムに関する。
【背景技術】
【０００２】
従来、プリンタ（ｐｒｉｎｔｅｒ）等の画像形成装置に画像データを送信し、画像形成装置に画像形成を行わせる印刷システム等が知られている。
【０００３】
また、印刷システムでは、アプリケーションソフトによって作成される印刷データに基づいて画像形成が行われる。この場合、印刷システムでは、印刷データは、プリンタドライバによって色変換が行われ、変換後の印刷データによって印字が行われる。また、色変換では、記録紙に印字される印刷文字の色が判読しにくい色である場合、文字の色を判読しやすい色に変換して、判読性の優れた印刷を行う方法が知られている（例えば、特許文献１等）。
【発明の概要】
【発明が解決しようとする課題】
【０００４】
しかしながら、従来の方法では、画像データに含まれる画像のうち、所定の画像を画像形成させる画像形成及び同様の画像を画像形成させない画像形成の２種類の画像形成をそれぞれ行う場合、それぞれ画像データを生成する必要がある。即ち、ユーザ等は、所定の画像を画像形成させる用の画像データとは別に、所定の画像を画像形成させない用に、画像形成させたくない画像を削除した画像データをそれぞれ生成する必要がある。そのため、ユーザ等は、複数の画像データをそれぞれ生成する手間が発生し、ユーザ等によるデータ生成作業等の作業負荷が増大する虞がある。
【０００５】
本発明は、上記課題にかんがみてなされたものであり、ユーザ等によるデータ生成作業等の作業負荷を軽減できる情報処理装置を提供することを目的とする。
【課題を解決するための手段】
【０００６】
一態様における、画像形成装置に接続される情報処理装置は、第１のデータの画像形成指示を受け付ける第１の受付部と、前記画像形成装置に画像形成させないデータの指定を第２のデータとして受け付ける第２の受付部と、前記第１のデータを前記画像形成装置の色材に対応した第３のデータに変換する際に、前記第２のデータに対応するデータを前記画像形成装置が画像形成しないデータに変換する変換部とを備える。
【発明の効果】
【０００７】
本発明の各実施形態によれば、ユーザ等によるデータ生成作業等の作業負荷を軽減できる。
【図面の簡単な説明】
【０００８】
【図１】本発明の一実施形態に係る情報処理装置のハードウェア構成の一例を示すブロック図である。
【図２】本発明の一実施形態に係る情報処理装置による全体処理の一例を示すフローチャートである。
【図３】本発明の一実施形態に係る情報処理装置による第３のデータの色を変換する処理の一例を示すシーケンス図である。
【図４】本発明の一実施形態に係る情報処理装置におけるソフトウェア構成の一例を示すブロック図である。
【図５】本発明の一実施形態に係る情報処理装置による白トナーを有する画像形成装置を考慮した全体処理の一例を示すフローチャートである。
【図６】本発明の一実施形態に係る情報処理装置によって表示されるプリンタドライバソフトウェアの操作画面の一例を示す図である。
【図７】本発明の一実施形態に係る情報処理装置によって表示されるロック操作画面の一例を示す図である。
【図８】本発明の一実施形態に係る情報処理装置の機能構成の一例を示す機能ブロック図である。
【図９】本発明の一実施形態に係る情報処理装置による全体処理の処理結果の一例を示す図である。
【発明を実施するための形態】
【０００９】
以下、本発明の実施形態について添付の図面を参照しながら説明する。なお、本明細書及び図面において、実質的に同一の機能構成を有する構成要素については、同一の符号を付し、重複した説明を省く。
【００１０】
＜情報処理装置例＞
はじめに、本実施形態に係る情報処理装置のハードウェア構成の一例について説明する。
【００１１】
図１は、本発明の一実施形態に係る情報処理装置のハードウェア構成の一例を示すブロック図である。具体的には、情報処理装置は、例えば、図示するようなハードウェア構成である。即ち、情報処理装置は、ＰＣ（Ｐｅｒｓｏｎａｌ  Ｃｏｍｐｕｔｅｒ）１０等のコンピュータである。以下、ＰＣ１０を例に説明する。なお、ＰＣ１０は、サーバ、スマートフォン、タブレット、又はモバイルＰＣ等でもよい。
【００１２】
ＰＣ１０は、ＣＰＵ（Ｃｅｎｔｒａｌ  Ｐｒｏｃｅｓｓｉｎｇ  Ｕｎｉｔ）１０Ｈ１と、主記憶装置１０Ｈ２と、補助記憶装置１０Ｈ３と、入力装置１０Ｈ４と、出力装置１０Ｈ５と、Ｉ／Ｆ（ｉｎｔｅｒｆａｃｅ）１０Ｈ６とを有する。
【００１３】
ＣＰＵ１０Ｈ１は、ＰＣ１０が行う各種処理及び各種データの加工を行う演算装置並びにＣＰＵ１０Ｈ１が有する各ハードウェア等を制御する制御装置である。なお、ＣＰＵ１０Ｈ１は、ＣＰＵ１０Ｈ１を補助する演算装置又は制御装置をさらに有してもよい。
【００１４】
主記憶装置１０Ｈ２は、ＰＣ１０が使うデータ、プログラム、及び設定値等を記憶する。また、主記憶装置１０Ｈ２は、いわゆるメモリ（ｍｅｍｏｒｙ）等である。
【００１５】
補助記憶装置１０Ｈ３は、ＰＣ１０が使うデータ、プログラム、及び設定値等を記憶する。また、補助記憶装置１０Ｈ３は、ハードディスク（ｈａｒｄｄｉｓｋ）等である。
【００１６】
入力装置１０Ｈ４は、ＰＣ１０にユーザ等による操作を入力するインタフェースである。具体的には、入力装置１０Ｈ４は、キーボード又はマウス等の入力装置と、入力装置を接続させるコネクタ等とである。なお、入力装置１０Ｈ４は、ネットワーク又は無線等を使用してもよい。
【００１７】
出力装置１０Ｈ５は、ＰＣ１０から処理結果及び画像等を出力するインタフェースである。具体的には、出力装置１０Ｈ５は、ディスプレイ等の出力装置と、出力装置を接続させるコネクタ等とである。なお、出力装置１０Ｈ５は、ネットワーク又は無線等を使用してもよい。
【００１８】
なお、入力装置１０Ｈ４及び出力装置１０Ｈ５は、入力装置及び出力装置が一体となっているタッチパネルディスプレイ等でもよい。
【００１９】
Ｉ／Ｆ１０Ｈ６は、ＰＣ１０に外部装置等を接続させるインタフェースである。具体的には、Ｉ／Ｆ１０Ｈ６は、コネクタ等である。例えば、Ｉ／Ｆ１０Ｈ６は、画像形成装置の例であるプリンタ２０等を接続し、プリンタ２０に画像形成を行わせる場合、Ｉ／Ｆ１０Ｈ６によってデータがプリンタ２０に出力される。また、Ｉ／Ｆ１０Ｈ６は、ネットワーク又はケーブル等を介してデータ等を外部装置から入力する。
【００２０】
なお、ＰＣ１０は、各ハードウェア資源を補助する補助装置をさらに有してもよい。また、ＰＣ１０は、複数の装置によって構成されてもよい。
【００２１】
＜全体処理例＞
図２は、本発明の一実施形態に係る情報処理装置による全体処理の一例を示すフローチャートである。
【００２２】
ステップＳ０１では、ＰＣ１０（図１）においてアプリケーションソフト１０１から第１のデータの画像形成指示がなされる。具体的には、ＰＣ１０にあらかじめインストールされるアプリケーションソフト１０１から、ユーザ等によって生成された各種文書等を示す第１のデータの画像形成指示がなされる。即ち、第１のデータは、アプリケーションソフト１０１等によって生成される。また、第１のデータは、ＰＣ１０のアプリケーションソフトによって生成されるデータに限られず、外部から入力されてもよい。
【００２３】
ステップＳ０２からステップＳ０５では、ＰＣ１０は、第１のデータに基づいて所定のデータ形式のデータを生成しながら第２のデータの指定があった場合には、第１のデータのうち、第２のデータに対応するデータを、画像形成しない第３のデータへ変換する。ここで第３のデータとはプリンタ２０が解釈可能なデータである。
【００２４】
つまりプリンタドライバ１０３は、変換時に第１のデータを画像形成装置に画像形成させないデータに変換する非印字変換処理を行うか否かを判断する。具体的には、ステップＳ０２では、あらかじめプリンタドライバ１０３の操作画面によって第２のデータの設定が行われている場合には、非印字変換処理を行うと判断する。次に、第２のデータ非印字変換処理を行う場合（ステップＳ０２でＹＥＳ）、プリンタドライバ１０３は、ステップＳ０３に進む。一方、第２のデータ非印字変換処理を行わない場合（ステップＳ０２でＮＯ）、プリンタドライバ１０３は、ステップＳ０４に進む。
【００２５】
ステップＳ０３では、プリンタドライバ１０３は、あらかじめ入力されている第２のデータの指定を読み込む。具体的には、色、太字、斜体、ルビ（ｒｕｂｙ）とする装飾、下線、フォントの種類、若しくはこれらの組み合わせによって特定される文字、図形、記号、又はこれらの組み合わせ等を示すデータを第２のデータに指定する操作がユーザ等によってあらかじめ行われ、主記憶装置１０Ｈ２に記憶されている。以下、第１のデータが文字示すデータを含み、第１のデータが含む文字データ及び当該文字データに対する色のデータのうち、第２のデータとするデータ（即ち、ユーザ等が意図的に画像形成したくない文字の装飾データ）を赤色に設定することによって指定する例で説明する。即ち、ユーザによる操作等によって第２のデータとするデータは、赤色の文字のデータに設定され、プリンタドライバ１０３は、赤色の指定データのある文字のデータを第２のデータと判断する例である。この例では、ＰＣ１０は、あらかじめ第２のデータを受け付け、主記憶装置１０Ｈ２に記憶している。
【００２６】
図３は、本発明の一実施形態に係る情報処理装置による第３のデータの色を変換する処理の一例を示すシーケンス図である。なお、図３に示す処理は、図示するように、アプリケーションソフト１０１、ＧＤＩ（Ｇｒａｐｈｉｃｓ  Ｄｅｖｉｃｅ  Ｉｎｔｅｒｆａｃｅ）１０２、及びプリンタドライバ１０３に基づく処理によって実現される例である。また、図示するように、アプリケーションソフト１０１、ＧＤＩ１０２、及びプリンタドライバ１０３は、それぞれ並行して動作する。ここで、まず、アプリケーションソフト１０１、ＧＤＩ１０２、及びプリンタドライバ１０３のソフトウェア構造の一例を説明する。
【００２７】
図４は、本発明の一実施形態に係る情報処理装置におけるソフトウェア構成の一例を示すブロック図である。以下、ＰＣ１０に、ＯＳ（Ｏｐｅｒａｔｉｎｇ  Ｓｙｓｔｅｍ）としてＷｉｎｄｏｗｓ（登録商標）ＯＳがインストールされる例で説明する。
【００２８】
ここでは例としてＲＡＷスプーリングの流れを用いて説明する。アプリケーションソフト１０１はＧＤＩ１０２のＡＰＩ（Ａｐｐｌｉｃａｔｉｏｎ  Ｐｒｏｇｒａｍｍｉｎｇ  Ｉｎｔｅｒｆａｃｅ）を呼び出す。呼び出されたＡＰＩとそのパラメータから、ＧＤＩ１０２がプリンタデバイスコンテキストへの描画を行う。ここでプリンタドライバ１０３のＤＤＩ（Ｄｅｖｉｃｅ  Ｄｒｉｖｅｒ  Ｉｎｔｅｒｆａｃｅ）関数が呼ばれ、プリンタドライバ１０３が第３のデータを生成する。
【００２９】
また、プリンタドライバ１０３は、プリンタと通信を行うことにより、プリンタ２０が有する色材に係る情報を有する。具体的には、プリンタドライバ１０３は、プリンタ２０が画像形成できる色の種類又はプリンタ２０が画像形成できる色の数等を示す情報を有する。なお、色材は、例えば、トナー又はインク等である。
【００３０】
以下、アプリケーションソフト１０１がＳＤＫ（Ｓｏｆｔｗａｒｅ  Ｄｅｖｅｌｏｐｍｅｎｔ  Ｋｉｔ）等によって作成されたソフトウェアである例で説明する。アプリケーションソフト１０１は、アプリケーションソフト１０１が有する関数によって、ＧＤＩ１０２に第１のデータを送る。即ち、ＧＤＩ１０２は、アプリケーションソフト１０１が有する関数によって、第１のデータを受け取る。なお、ＧＤＩ１０２は、Ｗｉｎｄｏｗｓ（登録商標）ＯＳにおいて、画像を描画する処理を行う。
【００３１】
ＧＤＩ１０２は、ＡＰＩ関数によって、第１のデータを送る。また、プリンタドライバ１０３は、ＤＤＩ関数によって、第１のデータを受け取る。この場合、第１のデータは、画像形成される画像の色等を示すデータを含む。なお、アプリケーションソフト１０１及びＧＤＩ１０２では、色は、ＲＧＢ（Ｒｅｄ  Ｇｒｅｅｎ  Ｂｌｕｅ）値のデータで示される。
【００３２】
アプリケーションソフト１０１からＧＤＩ１０２に送られる第１のデータが、さらにＧＤＩ１０２からプリンタドライバ１０３に送られる場合、プリンタドライバ１０３は、色以外にさらに装飾及びフォントの種類等に係るデータを受け取る。そのため、プリンタドライバ１０３は、各画像に対する色、太字、斜体、ルビとする等の装飾、下線、並びにフォントの種類等を特定するデータを受け取ることができる。
【００３３】
ステップＳ１１では、ＧＤＩ１０２は、アプリケーションソフト１０１から文字に係るデータを受け取る。具体的には、文字に係るデータは、ピッチを含むコード又は文字のイメージ、文字のポイント及びボールドであるか否か等を含むサイズ、フォントの種類名、装飾、並びに文字が画像形成される開始及び終了座標等を示すデータである。
【００３４】
ステップＳ１２では、プリンタドライバ１０３は、ＧＤＩ１０２から文字に係るデータを受け取る。
【００３５】
ステップＳ１３では、プリンタドライバ１０３は、受け取った文字に係るデータをプリンタ２０（図４）に送るため、データをページ記述言語の形式等に変換する。この処理の際に、ステップＳ１３では、プリンタドライバ１０３は、色を示すデータであるＲＧＢ値をＣＭＹＫ（Ｃｙａｎ  Ｍａｇｅｎｔａ  Ｙｅｌｌｏｗ  Ｋｅｙｐｌａｔｅ）値に変換する。例えば、赤色は、ＲＧＢ値では、（２５５，０，０）である。これをＣＭＹＫ値に変換すると、赤色は、（０，１００，１００，０）となる。なお、ＲＧＢ値及びＣＭＹＫ値の各色は、それぞれｕｎｓｉｇｎｅｄ  ８ビット（ｂｉｔ）であり、最小値が「０」及び最大値が「２５５」となる例である。以下、同様の形式で値を示す。
【００３６】
図２に戻り、ステップＳ１３でＲＧＢ値からＣＭＹＫ値に変換する場合、ステップＳ０３で指定された文字があると（図３の［第２のデータと指定された文字］）、プリンタドライバ１０３は、ステップＳ１４を行う。
【００３７】
ステップＳ１４では、プリンタドライバ１０３は、第２のデータと指定された文字のＲＧＢ値をＣＭＹＫ値の白色を示す値である（０，０，０，０）等に変換する。
【００３８】
なお、図３では、本発明に特に関係する処理を中心に説明したが、アプリケーションソフト１０１、ＧＤＩ１０２、及びプリンタドライバ１０３の間では、他にデータが関数によって送受信されてもよい。
【００３９】
また、プリンタドライバ１０３は、プリンタ２０が画像形成できる色の種類によって処理を切り替えてもよい。
【００４０】
図５は、本発明の一実施形態に係る情報処理装置による白トナーを有する画像形成装置を考慮した全体処理の一例を示すフローチャートである。図５は、図２と比較すると、ステップＳ２１及びステップＳ２２が加わる点が異なる。また、図５では、図２と同様の処理は、同一の符号を付し、説明を省略する。
【００４１】
ステップＳ２１では、ＰＣ１０は、画像形成装置が白トナーを有するか否かを判断する。次に、プリンタ２０が白トナーを有する場合（ステップＳ２１でＹＥＳ）、ＰＣ１０は、ステップＳ２２に進む。一方、プリンタ２０が白トナーを有しない場合（ステップＳ２１でＮＯ）、ＰＣ１０は、ステップＳ０５に進む。
【００４２】
プリンタ２０が白トナーを有しない場合、プリンタ２０によって、白色の画像は、画像形成されないため、ステップＳ０５で白色に変換された画像は、画像形成されない。即ち、プリンタ２０が白トナーを有しない場合、図５に示す処理では、図２と同様の処理が行われる。
【００４３】
一方、プリンタ２０が白トナーを有する場合、プリンタ２０は、白トナーによって白色が画像形成できる。これに対して、プリンタドライバ１０３は、例えば２種類のプレーンを有する。具体的には、２種類のプレーンは、ＣＭＹＫと、ＣＭＹＫＷ（Ｗｈｉｔｅ）とである。
【００４４】
ステップＳ２２では、プリンタドライバ１０３は、プレーンを切り替える。具体的には、プリンタドライバ１０３は、白トナーを用いる画像形成（ステップＳ０４等）では、ＣＭＹＫＷのプレーンを使用する。これに対して、ステップＳ０５では、プリンタドライバ１０３は、ＣＭＹＫのプレーンを使用する。
【００４５】
プリンタドライバ１０３がＣＭＹＫＷのプレーンを使用する場合、プリンタドライバ１０３は、ＲＧＢ値のデータをＣＭＹＫＷ値のデータに変換する。これに対して、ＣＭＹＫのプレーンに切り替えられると、プリンタドライバ１０３は、ＲＧＢ値のデータをＣＭＹＫ値のデータに変換する。即ち、ＣＭＹＫのプレーンに切り替えられると、プリンタドライバ１０３による変換は、Ｗに係るデータが生成されなくなる変換に変更される。したがって、ＣＭＹＫのプレーンに切り替えられると、Ｗのプレーンが出力されないため、ＣＭＹＫ値が白色である文字は、プリンタ２０によって画像形成されない。
【００４６】
ゆえに、図５による処理によって、白トナーを有するプリンタ２０であっても、ステップＳ０７では、第２のデータ部分が画像形成されない画像がプリンタ２０によって用紙に画像形成される。
【００４７】
また、第２のデータは、例えば、操作画面等を使用するユーザの操作による設定で指定される。
【００４８】
図６は、本発明の一実施形態に係る情報処理装置によって表示されるプリンタドライバソフトウェアの操作画面の一例を示す図である。操作画面Ｇ１は、色指定用ＧＵＩ（Ｇｒａｐｈｉｃａｌ  Ｕｓｅｒ  Ｉｎｔｅｒｆａｃｅ）Ｇ１１、フォント指定用ＧＵＩＧ１２、ロック（ｌｏｃｋ）ボタンＧ１３、及び操作ボタンＧ１４等を有する。
【００４９】
色指定用ＧＵＩＧ１１は、特定の色を選択させるラジオボタンＧ１１１及びＲＧＢ値をテキスト形式等で入力させるテキストボックスＧ１１２等のＧＵＩを有する。例えば、ラジオボタンＧ１１１で、Ｒ（赤）、Ｇ（緑）、又はＢ（青）のいずれかが選択されると、選択された色と同一の色の画像が第２のデータに指定される。
【００５０】
また、テキストボックスＧ１１２で、値が入力されると、入力された値と同一のＲＧＢ値の画像が第２のデータに指定される。なお、値には、±５程度の幅があってもよい。例えば「１００」と入力された場合、「９５」乃至「１０５」のＲＧＢ値の画像が第２のデータに指定されてもよい。
【００５１】
フォント指定用ＧＵＩＧ１２は、フォントの種類を選択させるドロップダウンリストＧ１２１及び装飾を選択させるチェックボックスＧ１２２を有する。例えば、ドロップダウンリストＧ１２１がクリックされると、Ｗｉｎｄｏｗｓ（登録商標）ＯＳにインストールされたフォントの種類を示す一覧が表示される。次に、ユーザ等は、一覧から１つのフォントを選択する。
【００５２】
さらに、ユーザ等は、チェックボックスＧ１２２によって、装飾を選択する。例えば、図示するように、太字、ルビ、及び斜体に係る装飾のいずれかがチェックボックスＧ１２２によって選択される。具体的には、「太字に適用する」がチェックされると、ドロップダウンリストＧ１２１で選択された種類のフォントの文字、かつ、太字に装飾された文字が第２のデータに指定される。同様に、「ルビに適用する」がチェックされると、ドロップダウンリストＧ１２１で選択された種類のフォントの文字、かつ、ルビとして装飾された文字が第２のデータに指定される。また、「斜体に適用する」がチェックされると、ドロップダウンリストＧ１２１で選択された種類のフォントの文字、かつ、斜体に装飾された文字が第２のデータに指定される。
【００５３】
つまり、チェックボックスＧ１２２等によって設定された装飾及びフォントの種類の画像が、第２のデータと指定される。なお、第２のデータは、色、装飾、下線、フォントの種類、又はこれらの組み合わせによって指定されてもよい。
【００５４】
ロックボタンＧ１３が押されると、ＰＣ１０は、ロック操作画面を表示する。
【００５５】
図７は、本発明の一実施形態に係る情報処理装置によって表示されるロック操作画面の一例を示す図である。ロック操作画面Ｇ２では、図示するように、パスワードが入力される。ロック操作画面Ｇ２で、パスワードが入力され、「ＯＫ」ボタンが押されると、ＰＣ１０は、第２のデータを画像形成装置に画像形成させない機能をロックする。具体的には、ロックされると、再度パスワードが入力されるまで、ＰＣ１０は、第２のデータを画像形成装置に画像形成させない。一方、再度パスワードが入力されると、ＰＣ１０は、第２のデータを画像形成装置に画像形成させない機能を解除する。
【００５６】
図６に戻り、操作ボタンＧ１４は、「Ｈｅｌｐ」ボタン、「Ｃａｎｃｅｌ」ボタン、及び「ＯＫ」ボタン等を有し、「Ｈｅｌｐ」ボタンが押されると、運用及び利用方法等が表示される。また、「Ｃａｎｃｅｌ」ボタンが押されると、ＰＣ１０は、前の画面を表示し、「ＯＫ」ボタンが押されると、ＰＣ１０は、設定された内容でプリンタ２０に画像形成を行わせる。なお、操作画面Ｇ１による操作は、例えば図２に示す処理の前等にあらかじめＰＣ１０に入力される。
【００５７】
＜機能構成例＞
図８は、本発明の一実施形態に係る情報処理装置の機能構成の一例を示す機能ブロック図である。具体的には、ＰＣ１０は、入力部１０Ｆ１と、受付部１０Ｆ２と、変換部１０Ｆ３とを有する。
【００５８】
入力部１０Ｆ１は、第１のデータＩｍｇ１を示すデータを入力する。なお、入力部１０Ｆ１は、例えば、入力装置１０Ｈ４（図１）等によって実現される。
【００５９】
受付部１０Ｆ２は、第１のデータＩｍｇ１が有する画像のうち、プリンタ２０に画像形成させない第２のデータＩｍｇ２を図６に示す操作画面Ｇ１による設定等による指定を受け付ける。なお、受付部１０Ｆ２は、例えば、ＣＰＵ１０Ｈ１（図１）等によって実現される。
【００６０】
変換部１０Ｆ３は、第１のデータＩｍｇ１をプリンタ２０が有する色材に対応した色のデータに変換する際に、第１のデータＩｍｇ１が有する画像のうち、第２のデータＩｍｇ２をプリンタ２０に画像形成させない色に変換する。なお、変換部１０Ｆ３は、例えば、プリンタドライバ１０３（図４）に基づく処理で実現されるのが望ましく、ＣＰＵ１０Ｈ１等によって実現される。
【００６１】
＜処理結果例＞
図９は、本発明の一実施形態に係る情報処理装置による全体処理の処理結果の一例を示す図である。例えば、図示するように、ルビが装飾された文字Ｉｍｇ３を含む第１のデータＩｍｇ１を示すデータＩｍｇＤが入力部１０Ｆ１（図８）によって、ＰＣ１０に入力される例で説明する。また、図９は、文字Ｉｍｇ３に対して装飾されたルビＩｍｇ２を第２のデータとする例である。即ち、図９は、図示するように、ルビＩｍｇ２が画像形成されない場合（用紙ＰＡに対する画像形成）と、ルビＩｍｇ２が画像形成される場合（用紙ＰＢに対する画像形成）とが切り替えられる例である。
【００６２】
まず、第１のデータＩｍｇ１を示す第１のデータＩｍｇＤの画像形成が指示される（図２に示すステップＳ０１）。あらかじめ図６に示す操作画面Ｇ１等で「ルビに適用する」がチェックされていると、第２のデータが指定されているため、ＰＣ１０は、プリンタ２０に画像形成させない第２のデータを有すると判断する（図２に示すステップＳ０２でＹＥＳ）。次に、第１のデータＩｍｇ１が有する画像のうち、ルビＩｍｇ２が第２のデータに受付部１０Ｆ２によって指定される（図２に示すステップＳ０３）。指定されたルビＩｍｇ２の色は、白色等のプリンタ２０に画像形成されない色に変換される（図２に示すステップＳ０５）。この場合、図示する用紙ＰＡに対する画像形成のように、ルビＩｍｇ２を含む第１のデータＩｍｇ１を示す第１のデータＩｍｇＤが入力されても、ＰＣ１０は、ルビＩｍｇ２がプリンタ２０に画像形成されないようにできる（図２に示すステップＳ０７）。
【００６３】
一方、図６に示す操作画面Ｇ１等で「ルビに適用する」がチェックされないと、ＰＣ１０は、ルビＩｍｇ２及び文字Ｉｍｇ３をそれぞれ画像形成する（図２に示すステップＳ０４）。この場合、図示する用紙ＰＢに対する画像形成のように、第１のデータＩｍｇ１を示す第１のデータＩｍｇＤに基づいて、ＰＣ１０は、ルビＩｍｇ２及び文字Ｉｍｇ３をプリンタ２０に画像形成させる。
【００６４】
即ち、ＰＣ１０は、図示するように、用紙ＰＡ及び用紙ＰＢのように、２種類の書面を作成するのに、いずれも同一の第１のデータＩｍｇＤに基づいてプリンタ２０に画像形成させることができる。したがって、用紙ＰＡ及び用紙ＰＢの２種類の書面を作成するのに、それぞれ第１のデータを用意し、それぞれの第１のデータに基づいてプリンタ２０に画像形成させる場合と比較して、ユーザ等による複数の第１のデータを生成する手間が削減できる。そのため、ＰＣ１０は、ユーザ等によるデータ生成作業等の作業負荷を軽減できる。
【００６５】
なお、第２のデータとして画像形成されない画像は、ルビに限られない。例えば、テスト用紙である場合、解答を示す文字及び画像等が第２のデータに指定され、解答を示す文字及び画像等が画像形成されない書面と、解答を示す文字及び画像等が画像形成される書面とが作成されてもよい。同様に、申請書等の記入用紙である場合、記入見本を示す文字及び画像等が第２のデータに指定され、見本を示す文字等が画像形成されない書面と、見本を示す文字等が画像形成される書面とが作成されてもよい。
【００６６】
なお、本発明に係る各処理の全部又は一部は、アセンブラ、Ｃ、Ｃ＋＋、Ｃ＃、及びＪａｖａ（登録商標）等のレガシープログラミング言語又はオブジェクト指向プログラミング言語等で記述されたコンピュータに実行させるためのプログラムによって実現されてもよい。即ち、プログラムは、情報処理装置又は情報処理装置を含む情報処理システム等のコンピュータに各処理を実行させるためのコンピュータプログラムである。
【００６７】
また、プログラムは、ＲＯＭ又はＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等のコンピュータが読み取り可能な記憶媒体に格納して頒布することができる。さらに、記憶媒体は、ＥＰＲＯＭ（Ｅｒａｓａｂｌｅ  Ｐｒｏｇｒａｍｍａｂｌｅ  ＲＯＭ）、フラッシュメモリ、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤ（登録商標）カード、又はＭＯ等でもよい。さらにまた、プログラムは、電気通信回線を通じて頒布することができる。
【００６８】
さらに、情報処理システムは、ネットワーク等によって相互に接続される２以上の情報処理装置を有し、各種処理の全部又は一部を複数の情報処理装置が分散、並列、又は冗長してそれぞれ処理を行ってもよい。
【００６９】
以上、本発明の好ましい実施例について詳述したが、本発明は係る特定の実施形態に限定されるものではなく、特許請求の範囲に記載された本発明の要旨の範囲内において、種々の変形又は変更が可能である。
【符号の説明】
【００７０】
１０  ＰＣ
２０  プリンタ
１０１  アプリケーションソフト
１０２  ＧＤＩ
１０３  プリンタドライバ
【先行技術文献】
【特許文献】
【００７１】
【特許文献１】特開平１１−３４８３５４号公報
【図１】
2016212592.tif 000003
【図２】
2016212592.tif 000004
【図３】
2016212592.tif 000005
【図４】
2016212592.tif 000006
【図５】
2016212592.tif 000007
【図６】
2016212592.tif 000008
【図７】
2016212592.tif 000009
【図８】
2016212592.tif 000010
【図９】
2016212592.tif 000011